(57)【要約】【課題】売り手主導型と買い手主導型とを複合運営し、多対多の入札競争、複数の取引を実現する。【解決手段】同一のオークション取引に買い手、売り手双方の入札者が入札可能となる個別の入札インタフェースと、入札情報から買い手、売り手が識別でき、それぞれでの入札順位が判別できるデータ格納装置とデータ格納手段を備え、オークション期間終了時に買い手側の入札順位の昇順に売り手側の入札者を順次選択可能とする制御手段、及び売り手側入札者を選択するための入札者一覧情報の照会手段を備える。【選択図】図１６
2012059022.tif 000002
【特許請求の範囲】
【請求項１】
買い手側が購入額を入札して商品の購入権を獲得する売り手主導型のオークションと、売り手側が売却額を入札して商品の売却権を獲得する買い手主導型のオークションの運営手段を備えたシステムであって、
オークション取引への参加を希望する入札者が、商品の購入を希望する買い手側として入札するか、商品の出品を希望する売り手側として入札するかを選択可能とするユーザインタフェースを備え、
入札者の選択に応じて商品の購入を希望する買い手側としての入札を管理する手段と商品の出品を希望する売り手側としての入札を管理する手段と前記管理手段への制御振分け手段を備え、
特定のオークション取引と、そのオークション取引に参加している入札者と、各入札者が商品の購入を希望する買い手側か商品の出品を希望する売り手側かを判別可能とするデータ構造を有した外部記憶装置と、
その外部記憶装置へのデータ格納手段を備え、
これにより一つのオークション取引に対して商品の購入を希望する買い手側の入札と商品の出品を希望する売り手側の入札双方の入札を可能とし、売り手主導型のオークションと買い手主導型のオークションを複合させた売り手買い手複合型複数取引オークションシステム。
【請求項２】
買い手側が購入額を入札して商品の購入権を獲得する売り手主導型のオークションと、売り手側が売却額を入札して商品の売却権を獲得する買い手主導型のオークションの運営手段を備えたシステムであって、
オークション取引に売り手側として入札している入札者の個別の商品情報を入力するユーザインタフェースと、
その情報を格納する外部記憶装置と、
その外部記憶装置へのデータ格納手段
とを備え、
オークション取引に入札を希望する者が売り手側として入札している各入札者の個別の商品情報を照会するために、売り手側として入札している特定の入札者を選択可能とするユーザインタフェースと、
選択した入札者の個別の商品情報を外部記憶装置から検索する手段と、
検索した特定の入札者の個別の商品情報を要求元へ表示する手段と
ユーザインタフェース
とを備え、
また、オークション取引に入札を希望する者がそのオークション取引における買い手側としての入札者、売り手側としての入札者それぞれにおける入札金額と入札順位に関する一覧情報を照会するユーザインタフェースと、
その一覧情報を作成する手段と、
その一覧情報を要求元へ表示するユーザインタフェース
とを備えることにより、
オークション取引に入札を希望する者がその入札の可否、入札金額の設定を判断するための情報提供を可能とする売り手買い手複合型複数取引オークションシステム。
【請求項３】
買い手側が購入額を入札して商品の購入権を獲得する売り手主導型のオークションと、
売り手側が売却額を入札して商品の売却権を獲得する買い手主導型のオークションの運営手段
とを備えたシステムであって、
オークション取引に入札した際に買い手側売り手側それぞれにおけるその時点での入札順位を算出する手段と、
算出した入札順位を格納するデータ構造を有した外部記憶装置と、
その外部記憶装置へのデータ格納手段
とを備え、
オークション取引期間が終了したときに買い手側入札者の中で入札順位が最高位である入札者を検索する手段と、
買い手側最高入札順位の入札者に対し売り手側入札者を選択するための一覧情報を作成する手段と、
売り手側入札者を選択するための通知を伝達する通信手段と、
買い手側最高入札順位の入札者が売り手側入札者を選択するためのユーザインタフェースと、
双方の入札者の間で取引される取引金額を双方の入札金額の中間値とする取引金額算出手段と、
双方の入札者へ取引成立の通知をする通信手段
とを備え、
前記買い手側最高入札順位の入札者及び前記買い手側最高入札順位が選択した売り手側入札者を除く入札者間において、買い手側入札者と売り手側入札者の何れかが全員取引成立となるまで、買い手側最高入札順位の入札者に売り手側入札者を選択させ取引成立を繰り返す制御手段
を備えることにより、
一つのオークション取引において売り手側入札者と買い手側入札者の間に複数取引の組合せを成立させ、入札者が一度のオークション参加でより高確率に商品取引の成立を可能とする売り手買い手複合型複数取引オークションシステム。
【発明の詳細な説明】
【技術分野】
【０００１】
本発明は、インターネットオークションにおいて売り手主導型オークション、及び買い手主導型オークション(リバースオークション)を並行開催し、一度のオークションで複数取引を完成させるシステムに関する。
【背景技術】
【０００２】
最近では、商品を購入する際の各店舗における販売価格や、その比較情報等がインターネットを通して容易に取得できるようになったため、可能な限り安く商品を購入するためにインターネットを利用した情報収集を行う消費者が増えている。その選択肢の一つとしてインターネットオークションがある。インターネットオークションの大半は、店舗による在庫整理や一般の消費者が不要となった商品の処分により取引が発生するケースが多く、商品の売却自体が目的であることから、店舗による通常の商品販売より安値がつくことが多い。
【０００３】
インターネットオークションでは、商品の出品者に対し、複数の購入者が入札を行い最高値を記録した購入者が商品の購入権を獲得できる売り手主導型のオークションと、商品の購入希望者に対し、複数の出品者が入札を行い最安値を記録した出品者が商品の販売権を獲得できる買い手主導型のオークションとがあり、これらが現在のインターネットオークションでの主流となっている。売り手主導型のオークションでは、出品者が商品の出品を行い新たにオークションを立ち上げる際に即決価格の設定を行うことが可能となっているシステムもあり、その即決価格を了承できる入札者がいる場合、即決価格での入札がなされた時点で落札とすることでオークションの期間を短縮し、出品者、購入者ともに早期に取引を完了させることができるようになっている。
【０００４】
また、売り手主導型のオークション、買い手主導型のオークション双方において、複数の取引間で情報交換を行うことが可能なシステムでは、あるオークションにおいて落札できなかった入札者に対し、システムが他のオークション情報等を紹介することでなるべく早く他のオークションへ移行することが可能となっている。上述の通り、最近のオークションでは単に価格を争う本来のオークションの意義に加え、商品購入希望者、出品者ともに迅速に、かつより高確率に取引を成立することができるための様々な改善がなされてきている。尚、本発明に関連する公知技術としては特許文献１があげられる。
【先行技術文献】
【特許文献】
【０００５】
【特許文献１】特開２００７−１４０５９９号公報
【発明の概要】
【発明が解決しようとする課題】
【０００６】
ところで、前述の通りインターネットオークションには売り手主導型、買い手主導型とあるが、何れの型においても取引は１対多で行われる。そのため、一度のオークション取引に限定すると、売り手主導型オークションでは多数の購入希望者がその目的を達せられず、また、買い手主導型オークションでは、多数の出品希望者がその目的を達することができない。
【０００７】
このため、商品の購入または売却といった目的を達せられなかったオークション参加者は、オークション終了後に再度別のオークションに参加し直す必要がある。前述の通り、落札できなかったオークション参加者に対して、他のオークション情報を紹介し、他のオークションへの迅速な移行を支援するシステムがあるが、移行した先のオークションが開始して間もない場合にはその開催期間終了まで取引の成立を待つ必要がある。通常の場合、インターネットオークションは数日から１週間程度の開催期間を設けることが多く、また、移行した先のオークションにて落札できる保証もないことから商品の売買を成し遂げるまで長期を要する場合がある。
【０００８】
本発明の目的は、インターネットオークションにおいて、一商品に対する売り手主導型オークションと買い手主導型オークションを複合して運営することで、多対多の入札競争を実現し、これにより一度のオークションで複数の取引を成立させることを可能とし、入札者がより高確率に商品の売買を達成することができる売り手買い手複合型複数取引オークションシステムを提供することにある。
【課題を解決するための手段】
【０００９】
上記目的を達成するために、本発明の売り手買い手複合型複数取引オークションシステムは、オークションへの入札者が買い手側として入札するか売り手側として入札するかを選択可能とするユーザインタフェースと、オークションに入札した入札者が買い手側か売り手側かを識別できるデータ構造を有した外部記憶装置と、買い手側売り手側それぞれにおける入札金額に応じた入札順位の算出手段と、算出した入札順位を識別できるデータ構造を有した外部記憶装置と、オークションの開催期間が終了したときに買い手側の入札順位が最高となる入札者の検索手段と、検索した入札者に対し売り手側入札者を選択するための一覧情報作成手段と、検索した入札者に対し売り手側入札者を選択するための通知手段と、検索した入札者が売り手側入札者を選択可能とするユーザインタフェースと、検索した入札者と選択された売り手側入札者との間で取引される取引金額の算出手段と、検索した入札者と選択された売り手側入札者に取引成立を知らせる通知手段と、取引が成立した入札者を識別できるデータ構造を有した外部記憶装置と、取引未成立の入札者に対し再度買い手側の入札順位が最高となる入札者を検索し売り手側入札者を選択させ取引を成立させる過程を対象となる入札者が存在しなくなるまで繰り返す制御手段とを設けたものである。
【発明の効果】
【００１０】
本発明の売り手買い手複合型複数取引オークションシステムによれば、一つのオークション取引で買い手側と売り手側で多対多の入札競争が可能となり、複数の組合せで取引を成立させることが可能となる。これにより、入札者は一度のオークション参加で取引を成立させる確率が高くなり、従ってより早急に商品の購入若しくは売却の目的を達成することができる。
【図面の簡単な説明】
【００１１】
＜システム全体図＞
【図１】図１は、本発明の実施形態を示すシステム構成図である。＜データ構成図＞
【図２】図２は、取引管理ＤＢのデータ構成を示すデータ構成図である。
【図３】図３は、取引参加者管理ＤＢのデータ構成を示すデータ構成図である。
【図４】図４は、商品情報ＤＢのデータ構成を示すデータ構成図である。
【図５】図５は、出品者商品情報ＤＢのデータ構成を示すデータ構成図である。
【図６】図６は、ユーザ管理ＤＢのデータ構成を示すデータ構成図である。＜画面レイアウト図＞
【図７】図７は、オークション一覧画面の画面構成を示す画面レイアウト図である。
【図８】図８は、新規オークション作成画面の画面構成を示す画面レイアウト図である。
【図９】図９は、オークション作成結果画面の画面構成を示す画面レイアウト図である。
【図１０】図１０は、オークション詳細情報表示画面の画面構成を示す画面レイアウト図である。
【図１１】図１１は、購入者として入札画面の画面構成を示す画面レイアウト図である。
【図１２】図１２は、購入者として入札結果画面の画面構成を示す画面レイアウト図である。
【図１３】図１３は、出品者として入札画面の画面構成を示す画面レイアウト図である。
【図１４】図１４は、出品者として入札結果画面の画面構成を示す画面レイアウト図である。
【図１５】図１５は、出品者情報照会画面の画面構成を示す画面レイアウト図である。
【図１６】図１６は、出品者選択画面の画面構成を示す画面レイアウト図である。＜フローチャート図＞
【図１７】図１７は、データ受信処理の処理手順を示すフローチャート図である。
【図１８】図１８は、データ送信処理の処理手順を示すフローチャート図である。
【図１９】図１９は、オークション一覧作成処理の処理手順を示すフローチャート図である。
【図２０】図２０は、新規オークション作成処理の処理手順を示すフローチャート図である。
【図２１】図２１は、オークション基本情報照会処理の処理手順を示すフローチャート図である。
【図２２】図２２は、入札者一覧作成処理の処理手順を示すフローチャート図である。
【図２３】図２３は、入札振分処理の処理手順を示すフローチャート図である。
【図２４】図２４は、新規購入者追加処理の処理手順を示すフローチャート図である。
【図２５】図２５は、新規出品者追加処理の処理手順を示すフローチャート図である。
【図２６】図２６は、既参加購入者情報更新処理の処理手順を示すフローチャート図である。
【図２７】図２７は、既参加出品者情報更新処理の処理手順を示すフローチャート図である。
【図２８】図２８は、出品者情報照会処理の処理手順を示すフローチャート図である。
【図２９】図２９は、オークション期間監視処理の処理手順を示すフローチャート図である。
【図３０】図３０は、オークション期間終了処理の処理手順を示すフローチャート図である。
【図３１】図３１は、上位入札者検索処理の処理手順を示すフローチャート図である。
【図３２】図３２は、取引事績作成処理の処理手順を示すフローチャート図である。
【発明を実施するための形態】
【００１２】
図１は、本発明の実施形態を示すシステム構成図である。この実施形態の売り手買い手複合型複数取引オークションシステムはインターネットオークションにてそのサービス提供を前提としており、Ｗｅｂサーバ（１）、データベース管理サーバ（２）、メールサーバ（３）から構成される。Ｗｅｂサーバ（１）とメールサーバ（３）は公衆回線網（５）を通じてインターネットに接続されており、エンドユーザとなるオークション参加者は、各自の所有するクライアント端末（４）から、インターネットブラウザを使用してインターネットを介し、売り手買い手複合型複数取引オークションシステムの提供するＷｅｂサイトにアクセスし、そのサービスを受ける。
Ｗｅｂサーバ（１）は、新規にオークションを作成する処理を管理する新規オークション作成部（１２）、全てのオークション取引においてその開催期間の終了を監視するオークション期間監視部（１３）、オークションの開催期間が終了しオークション期間監視部（１３）より終了通知を受け取った際にオークションのクローズ処理を管理するオークション期間終了部（１４）、エンドユーザからの入札処理を管理する入札管理部（１５）、オークションの取り扱う商品情報や各出品者の個別の商品情報等に関する情報照会処理を管理するオークション情報照会管理部（１６）から構成されており、これらの処理部は、エンドユーザからのリクエストに応じてデータ送受信部（１１）により起動される。
また、各処理部の処理結果をクライアント端末４へ送信する際には、データ送受信部（１１）にデータ送信要求をする。
Ｗｅｂサーバ（１）は、データベース管理サーバ（２）と接続されており、データベース管理サーバ（２）内には、各オークション取引を管理する取引管理ＤＢ（Ｄ１）、各オークションで取り扱う商品の仕様等に関する情報や、その商品の画像ファイルを管理する商品情報ＤＢ（Ｄ２）、オークションに参加するエンドユーザの氏名・住所・メールアドレス等のアカウント情報を管理するユーザ管理ＤＢ（Ｄ３）、各オークションに参加しているエンドユーザの入札金額等を管理する取引参加者管理ＤＢ（Ｄ４）、オークションに出品者として参加しているエンドユーザ個別の商品に関する情報、例えば使用状態（新品未開封）等及び、商品の画像ファイルを管理する出品者商品情報ＤＢ（Ｄ５）が構築されている。Ｗｅｂサーバ（１）はエンドユーザからリクエストに応じて、必要なデータベースの検索処理、若しくはレコードの追加・更新処理を行う場合には、データベース管理サーバ（２）に対してアクセス要求を行う。
オークションの開催期間が終了したとき、または出品者と購入者との取引が成立し決裁処理へと進む際には、Ｗｅｂサーバ（１）よりメールサーバ（３）へメールの送信要求がなされ、関係するエンドユーザへメールにて情報が通知される。
尚、エンドユーザのアカウント登録、アカウント認証、及び取引成立後の決裁処理に関しては、本願の出願時における周知技術を適用する。
【００１３】
図２は、各オークション取引の基本情報を管理する取引管理ＤＢ（Ｄ１）のデータ構成を示すデータ構成図である。後述する新規オークション作成画面（Ｍ０８）にて、エンドユーザが新規オークション取引を要求した際に新規オークション作成部（１２）にて取引管理ＤＢのレコード（Ｔ０２）が追加される。
オークションＩＤ（Ｔ０２１）は各オークション取引を一意に識別するもので、新規オークション作成部（１２）にて他のオークション取引と重複しないよう採番したＩＤが格納される。
オークション開始日時（Ｔ０２２）は、オークション取引が新規に作成された日付・時間を表すもので、オークションの終了日時を算出する情報として使用される。新規オークション作成部（１２）にて取得した情報が格納される。
オークション終了日時（Ｔ０２３）は、各オークション取引の開催期間の終了を表すものであり、オークション開始日時（Ｔ０２２）から、新規オークション作成部（１２）にて算出される。この情報は画面に表示され、エンドユーザは入札を行う上での判断材料とすることができる。
オークション終了済フラグ（Ｔ０２４）は、オークションが新規作成された場合に「０（取引中）」として設定され、システム時刻がオークション終了日時（Ｔ０２３）に達した際に、オークション期間終了部（１４）にて「１（終了）」に更新される。これ以降、当該オークション取引は、後述するオークション一覧画面（Ｍ０７）には表示されず、購入者・出品者としての各入札者間での取引相手の選択が行われる。
購入者参加人数（Ｔ０２５）は、各オークション取引に購入者として入札しているエンドユーザの人数が格納される。オークションの新規作成時に、新規オークション作成部（１２）にて初期値として０人が設定され、以降エンドユーザによる、後述する購入者として入札画面（Ｍ１１）にて入札要求がなされ、かつ当該エンドユーザが当該オークション取引に初めて入札する場合に１件ずつカウントアップされる。この情報は画面に表示され、エンドユーザは入札を行う上での判断材料とすることができる。尚、当情報が後述する出品者参加人数（Ｔ０２６）を上回る場合、購入者として入札している入札者全員が取引を成立させることはできない。
出品者参加人数（Ｔ０２６）は、各オークション取引に出品者として入札しているエンドユーザの人数が格納される。オークションの新規作成時に、新規オークション作成部（１２）にて初期値として０人が設定され、以降エンドユーザによる、後述する出品者として入札画面（Ｍ１３）にて入札要求がなされ、かつ当該エンドユーザが当該オークション取引に初めて入札する場合に１件ずつカウントアップされる。この情報は画面に表示され、エンドユーザは入札を行う上での判断材料とすることができる。尚、当情報が購入者参加人数（Ｔ０２５）を上回る場合、出品者として入札している入札者全員が取引を成立させることはできない。
購入者取引成立人数（Ｔ０２７）は、各オークション取引にて既に出品者との取引が成立した購入希望者の人数が格納される。取引の成立は、オークション期間終了部（１４）にてオークション終了済フラグ（Ｔ０２４）が「１（終了）」に更新された後、後述する入札順位（Ｔ０３６）のより高順位の購入希望者から順に取引相手となる出品者の選択を行わせ、これにより取引が成立した際に、同オークション期間終了部（１４）にて１件ずつカウントアップされる。
出品者取引成立人数（Ｔ０２８）は、各オークション取引にて既に購入希望者との取引が成立した出品者の人数が格納される。取引の成立は、オークション期間終了部（１４）にてオークション終了済フラグ（Ｔ０２４）が「１（終了）」に更新された後、後述する入札順位（Ｔ０３６）のより高順位の購入希望者から順に取引相手となる出品者の選択を行わせ、これにより取引が成立した際に、同オークション期間終了部（１４）にて１件ずつカウントアップされる。
【００１４】
図３は各オークション取引に購入希望者、または出品者として入札を行った参加者を管理する取引参加者管理ＤＢのデータ構成を示すデータ構成図である。後述する購入者として入札画面（Ｍ１１）または出品者として入札画面（Ｍ１３）にて、当該オークション取引に初めて入札するエンドユーザが入札要求をする際に入札管理部（１５）にてレコードが追加される。
オークションＩＤ（Ｔ０３１）は、各オークション取引を一意に識別するもので、取引管理ＤＢ（Ｄ１）のレコード（Ｔ０２）とオークションＩＤ（Ｔ０２１）を通して関連付けられる。
ユーザＩＤ（Ｔ０３２）は、オークションに入札をしている各エンドユーザを一意に識別するもので、各エンドユーザが別途アカウント登録をする際に決定するＩＤが格納されている。各エンドユーザへオークションの終了通知等を行う際に送信する通知メールの送信先アドレスを、後述するユーザ管理ＤＢのレコード（Ｔ０６）から取得する際に使用する。
入札種別（Ｔ０３３）は、オークションに入札している当該エンドユーザが購入希望者としての入札なのか、出品者としての入札なのかを判別するための情報である。エンドユーザが後述する購入者として入札画面（Ｍ１１）から入札要求をする際には、「１（購入者）」が、出品者として入札画面（Ｍ１３）から入札要求をする際には、「２（出品者）」が入札管理部（１５）にて格納される。
取引成立フラグ（Ｔ０３４）は、オークションに参加する各エンドユーザが既に取引相手を決定し、取引が成立しているか否かを判別するための情報である。入札管理部（１５）にてレコードを追加する際に初期値「０（未成立）」が格納され、オークション期間終了部（１４）にてオークション終了済フラグ（Ｔ０２４）が「１（終了）」に更新された後、後述する入札順位（Ｔ０３６）のより高順位の購入希望者から順に取引相手となる出品者の選択を行わせ取引が成立した際に「１（成立済）」に更新される。
入札金額（Ｔ０３５）は、当該エンドユーザが後述する購入者として入札画面（Ｍ１１）または出品者として入札画面（Ｍ１３）にて入力した入札金額が格納される。当情報に基づいて、後述する入札順位（Ｔ０３６）が算出される。
入札順位（Ｔ０３６）は、各オークション取引における、購入希望者・出品者それぞれにおいて入札金額（Ｔ０３５）に基づいて算出された順位が格納される。購入希望者間では、入札金額（Ｔ０３５）の降順に順位が算出され、最高値を入札した購入希望者が１位となる。出品者間では、入札金額（Ｔ０３５）の昇順に順位が算出され、最安値を入札した出品者が１位となる。
【００１５】
図４は各オークション取引にて取引の対象となる商品に関する仕様等の情報や画像ファイルを管理する商品情報ＤＢのデータ構成を示すデータ構成図である。エンドユーザが後述する新規オークション作成画面（Ｍ０８）にてオークションの作成要求をした際に新規オークション作成部（１２）にてレコードが追加される。
オークションＩＤ（Ｔ０４１）は各オークション取引を一意に識別するもので、取引管理ＤＢのレコード（Ｔ０２）とオークションＩＤ（Ｔ０２１）を通して関連付けられる。
商品名（Ｔ０４２）は、オークションＩＤ（Ｔ０４１）に該当するオークション取引にて扱う商品の名称が格納される。後述する新規オークション作成画面（Ｍ０８）にて入力した商品名（Ｍ０８１）が格納される。
商品基本情報（Ｔ０４３）は、オークションＩＤ（Ｔ０４１）に該当するオークション取引にて扱う商品に関する仕様等に関する情報が格納される。後述する新規オークション作成画面（Ｍ０８）にて入力した商品の説明（Ｍ０８２）が格納される。入力内容には特に規制はなく、オークション取引を新規に作成したエンドユーザが任意に入力する。
商品画像ファイル１（Ｔ０４４）は、当該商品に関する画像ファイルが格納される。後述する新規オークション作成画面（Ｍ０８）にて登録したファイルが格納される。商品画像は各オークション取引につき最大３ファイルまで登録可能で、２つ目のファイルは商品画像ファイル２（Ｔ０４５）に、３つ目のファイルは商品画像ファイル３（Ｔ０４６）に格納される。
【００１６】
図５は、各オークション取引に入札した出品者毎の商品に関する状態説明、画像ファイルを管理する出品者商品情報ＤＢのデータ構成を示すデータ構成図である。後述する出品者として入札画面（Ｍ１３）にて商品に関する各出品者個別の情報を入札管理部（１５）にて格納する。出品者が当該オークション取引に初めて出品者として入札をする場合は、入札管理部（１５）にてレコードを追加し、出品者が当該オークション取引に２度目以降の出品者としての入札をする際には、既に登録されているレコードを更新する。
オークションＩＤ（Ｔ０５１）は各オークション取引を一意に識別するもので、取引管理ＤＢのレコード（Ｔ０２）とオークションＩＤ（Ｔ０２１）を通して関連付けられる。出品者が複数のオークション取引に参加している場合であっても該当するオークション取引が特定可能となる。
ユーザＩＤ（Ｔ０５２）はオークションに入札をしている各エンドユーザを一意に識別するもので、各エンドユーザが別途アカウント登録をする際に決定するＩＤが格納されている。取引参加者管理ＤＢのレコード（Ｔ０３）とユーザＩＤ（Ｔ０３２）を通して関連付けられる。
商品情報説明（Ｔ０５３）は、当該オークション取引にて取扱われる商品に関して各出品者が所有する商品に関する個別の説明が格納され、主に商品の状態（新品なのか、中古なのか等）、商品に関する注意事項（故障あり等）を後述する出品者として入札画面（Ｍ１３）にて商品の説明（Ｍ１３５）として入力された内容を格納する。
商品画像ファイル１（Ｔ０５４）は、当該オークション取引にて取扱われる商品に関して各出品者が所有する商品に関する個別の画像ファイルが格納され、後述する出品者として入札画面（Ｍ１３）にて登録したファイルが格納される。商品画像は各オークション取引につき最大３ファイルまで登録可能で、２つ目のファイルは商品画像ファイル２（Ｔ０５５）に、３つ目のファイルは商品画像ファイル３（Ｔ０５６）に格納される。
【００１７】
図６は、本オークションシステムにアカウントを登録しているエンドユーザの情報を管理するユーザ管理ＤＢのデータ構成を示すデータ構成図である。各エンドユーザへオークションの終了通知等を行う際に送信する通知メールの送信先アドレスを取得する際にアクセスされる。
ユーザＩＤ（Ｔ０６１）は、オークションにアカウントを登録しているエンドユーザを一意に識別するもので、各エンドユーザがアカウント登録をする際に決定するＩＤが格納されている。取引参加者管理ＤＢのレコード（Ｔ０３）とユーザＩＤ（Ｔ０３２）を通して関連付けられる。
氏名（Ｔ０６２）は、オークションにアカウントを登録しているエンドユーザの氏名情報が格納される。
住所（Ｔ０６３）は、オークションにアカウントを登録しているエンドユーザの住所情報が格納される。
メールアドレス（Ｔ０６４）は、オークションにアカウントを登録しているエンドユーザのメールアドレスが格納される。各エンドユーザへオークションの終了通知等を行う際に送信する通知メールの送信先として使用される。
電話番号（Ｔ０６５）は、オークションにアカウントを登録しているエンドユーザの電話番号情報が格納される。
【００１８】
図７は、本オークションシステムにアクセスした際に初期表示されるオークション一覧画面の画面構成を示す画面レイアウト図である。エンドユーザは、当画面で取引を希望するオークション取引を検索したり、希望するオークション取引が無い場合は新規に作成することが可能となる。
オークション一覧表示欄（Ｍ０７１）は、取引管理ＤＢのレコード（Ｔ０２）に登録されているオークション取引の内、オークション終了済フラグ（Ｔ０２４）が「０（取引中）」となるレコードの一覧が表示される。
オークション詳細情報表示ボタン（Ｍ０７２）は、オークション一覧表示欄（Ｍ０７１）に表示されている各オークション取引に対して設置され、エンドユーザが興味を持った取引に対して当ボタンをクリックすると、オークション情報照会管理部（１６）を通して、後述するオークション詳細情報表示画面（Ｍ１０）が表示され、当該オークション取引に関する詳細な情報を閲覧することが可能となる。
新規オークションの作成画面へボタン（Ｍ０７３）は、エンドユーザがオークション一覧表示欄（Ｍ０７１）から参加を希望する取引を見付けられなかった場合に、新規にオークション取引を作成する場合にクリックされ、後述する新規オークション作成画面（Ｍ０８）を表示する。
【００１９】
図８は、エンドユーザが新規にオークション取引を作成する場合に、作成する取引にて扱う商品の情報等を入力する新規オークション作成画面の画面構成を示す画面レイアウト図である。ここで作成したオークション取引の内容は、新規オークション作成部（１２）にて、取引管理ＤＢのレコード（Ｔ０２）及び商品情報ＤＢのレコード（Ｔ０４）に格納される。
商品名入力欄（Ｍ０８１）は、新規に作成するオークション取引にて取扱う商品の商品名を入力する。ここで入力した内容は、商品情報ＤＢのレコード（Ｔ０４）の商品名（Ｔ０４２）に格納される。
商品の説明入力欄（Ｍ０８２）は、新規に作成するオークション取引にて取扱う商品の仕様等一般的な情報を入力する。ここで入力した内容は、商品情報ＤＢのレコード（Ｔ０４）の商品基本情報（Ｔ０４３）に格納される。
画像ファイルの参照ボタン（Ｔ０８３）は、新規に作成するオークション取引にて取扱う商品に関する画像ファイルを登録するためのボタンで、エンドユーザのクライアント端末（４）内のディレクトリを参照し、画像ファイルを指定する。指定した画像ファイルは、クライアント端末（４）における格納ディレクトリのパスが登録画像確認欄（Ｍ０８４）に表示される。画像ファイルは０個から最大３個まで指定可能である。
新規オークションの作成ボタン（Ｍ０８５）は、新規に作成するオークション取引にて取扱う商品に関する情報を入力後、新規オークション取引の確定を行うためのボタンで、当ボタンをクリックすることにより、新規オークション作成部（１２）を通して、取引管理ＤＢのレコード（Ｔ０２）及び商品情報ＤＢのレコード（Ｔ０４）としてレコードが追加される。また、ＤＢへのレコード追加後に同新規オークション作成部（１２）により後述するオークション作成結果画面（Ｍ０９）へと画面が遷移する。
【００２０】
図９は、新規オークション作成画面（Ｍ０８）にて入力した新規オークション取引の作成結果を表示するオークション作成結果画面の画面構成を示す画面レイアウト図である。当画面は、新規オークション作成画面（Ｍ０８）に配置される新規オークションの作成ボタン（Ｍ０８５）をクリックすることで起動した新規オークション作成部（１２）にて、新規オークション作成画面（Ｍ０８）で入力した内容を基に画面内容が作成され表示される。
この商品の画像（Ｍ０９１）は、新規オークション作成画面（Ｍ０８）で画像ファイルの参照ボタン（Ｍ０８３）にて指定した画像ファイルの内容が表示される。
オークション一覧へ戻るボタン（Ｍ０９２）は、クリックすることでオークション一覧画面（Ｍ０７）へ画面を遷移する。
【００２１】
図１０は、オークション一覧画面（Ｍ０７）にて一覧表示されているオークション取引の詳細情報を表示するオークション詳細情報表示画面の画面構成を示す画面レイアウト図である。当画面は、オークション一覧画面（Ｍ０７）のオークション一覧表示欄（Ｍ０７１）に配置されるオークション詳細情報表示ボタン（Ｍ０７２）をクリックした際に、取引管理ＤＢのレコード（Ｔ０２）、商品情報ＤＢのレコード（Ｔ０４）の情報を基にオークション情報照会管理部（１６）にて画面内容が作成され表示される。
オークション基本情報表示欄（Ｍ１０１）は、取引管理ＤＢのレコード（Ｔ０２）のオークション開始日時（Ｔ０２２）、オークション終了日時（Ｔ０２３）、商品情報ＤＢのレコード（Ｔ０４）の商品名（Ｔ０４２）を基にオークション取引に関する基本情報が表示される。
商品の詳細情報表示欄（Ｍ１０２）は、商品情報ＤＢのレコード（Ｔ０４）の商品基本情報（Ｔ０４３）、商品画像ファイル１〜３（Ｔ０４４〜Ｔ０４６）を基にオークション取引で扱う商品の詳細情報が表示される。
オークション入札欄（Ｍ１０３）は、取引管理ＤＢのレコード（Ｔ０２）の購入者参加人数（Ｔ０２５）、出品者参加人数（Ｔ０２６）、及び、取引参加者管理ＤＢのレコード（Ｔ０３）からオークションＩＤ（Ｔ０３１）が当該オークション取引のオークションＩＤと一致し入札種別（Ｔ０３３）が「１（購入者）」となるレコードの内、入札金額（Ｔ０３５）が最も高い金額情報、及び、取引参加者管理ＤＢのレコード（Ｔ０３）からオークションＩＤ（Ｔ０３１）が当該オークション取引のオークションＩＤと一致し入札種別（Ｔ０３３）が「２（出品者）」となるレコードの内、入札金額（Ｔ０３５）が最も安い金額情報を基に表示される。
購入者として入札ボタン（Ｍ１０４）は、当画面に表示しているオークション取引に購入希望者として入札をする場合に、当ボタンをクリックすると、入札管理部（１５）により後述する購入者として入札画面（Ｍ１１）へ画面を遷移させる。
出品者として入札ボタン（Ｍ１０５）は、当画面に表示しているオークション取引に出品者として入札をする場合に、当ボタンをクリックすると、入札管理部（１５）により後述する出品者として入札画面（Ｍ１３）へ画面を遷移させる。
出品者情報を表示ボタン（Ｍ１０６）は、オークション取引に既に参加している出品者の個別の情報を参照したい場合に、当ボタンをクリックすると、オークション情報照会管理部（１６）を通して、後述する出品者情報照会画面（Ｍ１５）が表示される。
【００２２】
図１１は、オークション詳細情報表示画面（Ｍ１０）にて購入者として入札ボタン（Ｍ１０４）をクリックした際に、入札管理部（１５）により遷移して表示される購入者として入札画面の画面構成を示す画面レイアウト図である。
オークション基本情報表示欄（Ｍ１１１）は、取引管理ＤＢのレコード（Ｔ０２）のオークション開始日時（Ｔ０２２）、オークション終了日時（Ｔ０２３）、商品情報ＤＢのレコード（Ｔ０４）の商品名（Ｔ０４２）を基にオークション取引に関する基本情報が表示される。
購入希望者一覧表示欄（Ｍ１１２）は、オークション取引に既に購入希望者として入札している参加者の入札金額をその入札順位と共に表示し、これから入札をするエンドユーザの入札額の設定において判断材料となるものである。当表示内容は、入札管理部（１５）において、取引参加者管理ＤＢのレコード（Ｔ０３）からオークションＩＤ（Ｔ０３１）が現在表示しているオークション取引のオークションＩＤと一致するレコードの内、入札種別（Ｔ０３３）が「１（購入者）」であるものに対して、入札順位（Ｔ０３６）の昇順に入札金額（Ｔ０３５）を取得して表示する。
オークション一覧へ戻るボタン（Ｍ１１３）は、クリックすることで入札を中止しオークション一覧画面（Ｍ０７）へ画面を遷移する。
入札額入力欄（Ｍ１１４）は、入札額を入力するための入力欄である。
入札するボタン（Ｍ１１５）は、購入者として入札を確定するためのボタンで、入札額入力欄（Ｍ１１４）に入力した入札額が、入札管理部（１５）を通して、取引参加者管理ＤＢのレコード（Ｔ０３）の入札金額（Ｔ０３５）に格納される。ここで、取引参加者管理ＤＢのレコード（Ｔ０３）のオークションＩＤ（Ｔ０３１）が現在表示しているオークション取引のオークションＩＤと一致し、入札種別（Ｔ０３３）が「１（購入者）」であるレコードから、入札額入力欄（Ｍ１１４）に入力した今回の入札額の順位を決定し、取引参加者管理ＤＢのレコード（Ｔ０３）の入札順位（Ｔ０３６）に格納する。
【００２３】
図１２は、購入者として入札画面（Ｍ１１）にて入力した入札額の入札結果を表示する購入者として入札結果画面の画面構成を示す画面レイアウト図である。当画面は、購入者として入札画面（Ｍ１１）に設置される入札するボタン（Ｍ１１５）をクリックした際に、入札管理部（１５）にて入札額入力欄（Ｍ１１４）の入力内容、及び入札額入力欄（Ｍ１１４）の入力内容から算出した入札順位を基に画面内容が作成され表示される。
オークション基本情報表示欄（Ｍ１２１）は、取引管理ＤＢのレコード（Ｔ０２）のオークション開始日時（Ｔ０２２）、オークション終了日時（Ｔ０２３）、商品情報ＤＢのレコード（Ｔ０４）の商品名（Ｔ０４２）を基にオークション取引に関する基本情報が表示される。
入札結果表示欄（Ｍ１２２）は、入札管理部（１５）にて取引参加者管理ＤＢのレコード（Ｔ０３）に格納した入札種別（Ｔ０３３）、入札金額（Ｔ０３５）、入札順位（Ｔ０３６）の情報を基に表示される。ここで表示される入札順位は、購入希望者が再度入札を行うかの判断材料となる。
オークション一覧へ戻るボタン（Ｍ１２３）は、オークション一覧画面（Ｍ０７）へ画面を遷移する。
【００２４】
図１３は、オークション詳細情報表示画面（Ｍ１０）にて出品者として入札ボタン（Ｍ１０５）をクリックした際に、入札管理部（１５）により遷移して表示される出品者として入札画面の画面構成を示す画面レイアウト図である。
オークション基本情報表示欄（Ｍ１３１）は、取引管理ＤＢのレコード（Ｔ０２）のオークション開始日時（Ｔ０２２）、オークション終了日時（Ｔ０２３）、商品情報ＤＢのレコード（Ｔ０４）の商品名（Ｔ０４２）を基にオークション取引に関する基本情報が表示される。
出品者一覧表示欄（Ｍ１３２）は、オークション取引に既に出品者として入札している参加者の入札金額をその入札順位と共に表示し、これから入札をするエンドユーザの入札額の設定において判断材料となるものである。当表示内容は、入札管理部（１５）において、取引参加者管理ＤＢのレコード（Ｔ０３）からオークションＩＤ（Ｔ０３１）が現在表示しているオークション取引のオークションＩＤと一致するレコードの内、入札種別（Ｔ０３３）が「２（出品者）」であるものに対して、入札順位（Ｔ０３６）の昇順に入札金額（Ｔ０３５）を取得して表示する。
オークション一覧へ戻るボタン（Ｍ１３３）は、クリックすることで入札を中止しオークション一覧画面（Ｍ０７）へ画面を遷移する。
入札額入力欄（Ｍ１３４）は、入札額を入力するための入力欄である。
商品の説明入力欄（Ｍ１３５）は、出品者が所有する商品の状態説明等を入力する欄で、出品者商品情報ＤＢのレコード（Ｔ０５）の商品情報説明（Ｔ０５３）に格納される。同一オークション取引へ二度目以降の入札の場合には、当入力欄が未入力の場合、前回入力した内容が維持されるが、当入力欄に入力があった場合、前回入力した内容が出品者商品情報ＤＢのレコード（Ｔ０５）の商品情報説明（Ｔ０５３）から破棄し、今回入力した内容を上書きで登録する。
画像ファイルの参照ボタン（Ｍ１３６）は、出品者が所有する商品に関する画像ファイルを登録するためのボタンで、出品者のクライアント端末（４）内のディレクトリを参照し、画像ファイルを指定する。指定した画像ファイルは、クライアント端末（４）における格納ディレクトリのパスが登録画像確認欄（Ｍ１３７）に表示される。画像ファイルは０個から最大３個まで指定可能である。同一オークション取引へ二度目以降の入札の場合には、画像ファイルを指定しない場合前回登録した画像ファイルが維持されるが、一つでも画像ファイルを指定した場合、前回登録した画像ファイルを出品者商品情報ＤＢのレコード（Ｔ０５）の商品画像ファイル１〜３（Ｔ０５４〜Ｔ０５６）から破棄し、今回指定したファイルを上書きで登録する。
入札するボタン（Ｍ１３８）は、購入者として入札を確定するためのボタンで、入札額入力欄（Ｍ１３４）に入力した入札額、商品の説明入力欄（Ｍ１３５）に入力した所有する商品の個別説明、画像ファイルの参照ボタン（Ｍ１３６）で指定した所有する商品の個別画像ファイルを入札管理部（１５）を通して、それぞれ、取引参加者管理ＤＢのレコード（Ｔ０３）の入札金額（Ｔ０３５）、出品者商品情報ＤＢのレコード（Ｔ０５）の商品情報説明（Ｔ０５３）、商品画像ファイル１〜３（Ｔ０５４〜Ｔ０５６）に格納される。ここで、取引参加者管理ＤＢのレコード（Ｔ０３）のオークションＩＤ（Ｔ０３１）が現在表示しているオークション取引のオークションＩＤと一致し、入札種別（Ｔ０３３）が「２（出品者）」であるレコードから、入札額入力欄（Ｍ１３４）に入力した今回の入札額の順位を決定し、取引参加者管理ＤＢのレコード（Ｔ０３）の入札順位（Ｔ０３６）に格納する。
【００２５】
図１４は、出品者として入札画面（Ｍ１３）にて入力した入札額等の入札結果を表示する出品者として入札結果画面の画面構成を示す画面レイアウト図である。当画面は、出品者として入札画面（Ｍ１３）に設置される入札するボタン（Ｍ１３８）をクリックした際に、入札管理部（１５）にて入札額入力欄（Ｍ１３４）、商品の説明入力欄（Ｍ１３５）、画像ファイルの参照ボタン（Ｍ１３６）で指定した画像ファイル、及び入札額入力欄（Ｍ１３４）の入力内容から算出した入札順位を基に画面内容が作成され表示される。
オークション基本情報表示欄（Ｍ１４１）は、取引管理ＤＢのレコード（Ｔ０２）のオークション開始日時（Ｔ０２２）、オークション終了日時（Ｔ０２３）、商品情報ＤＢのレコード（Ｔ０４）の商品名（Ｔ０４２）を基にオークション取引に関する基本情報が表示される。
入札結果表示欄（Ｍ１４２）は、入札管理部（１５）にて取引参加者管理ＤＢのレコード（Ｔ０３）に格納した入札種別（Ｔ０３３）、入札金額（Ｔ０３５）、入札順位（Ｔ０３６）の情報、及び出品者商品情報ＤＢのレコード（Ｔ０５）に格納した商品情報説明（Ｔ０５３）、商品画像ファイル１〜３（Ｔ０５４〜Ｔ０５６）を基に表示される。ここで表示される入札順位は、出品希望者が再度入札を行うかの判断材料となる。
オークション一覧へ戻るボタン（Ｍ１４３）は、オークション一覧画面（Ｍ０７）へ画面を遷移する。
【００２６】
図１５は、オークション取引に入札している出品者の個別の商品情報を照会する出品者情報照会画面の画面構成を示す画面レイアウト図である。当画面は、オークション詳細情報表示画面（Ｍ１０）にて出品者情報を表示ボタン（Ｍ１０６）をクリックした際に表示される。
オークション基本情報表示欄（Ｍ１５１）は、取引管理ＤＢのレコード（Ｔ０２）のオークション開始日時（Ｔ０２２）、オークション終了日時（Ｔ０２３）、商品情報ＤＢのレコード（Ｔ０４）の商品名（Ｔ０４２）を基にオークション取引に関する基本情報が表示される。
出品者一覧表示欄（Ｍ１５２）は、オークション情報照会管理部（１６）にて、取引参加者管理ＤＢのレコード（Ｔ０３）のオークションＩＤ（Ｔ０３１）が現在表示しているオークション取引のオークションＩＤと一致し、入札種別（Ｔ０３３）が「２（出品者）」であるレコードの入札金額（Ｔ０３５）、入札順位（Ｔ０３６）を基に入札順位（Ｔ０３６）の昇順で一覧表示される。
出品者の情報を表示ボタン（Ｍ１５３）は、出品者一覧表示欄（Ｍ１５２）に表示されている各レコード毎に設置され、当ボタンをクリックすることで対応する出品者の個別情報が後述する出品者情報表示欄（Ｍ１５４）に表示される。
出品者情報表示欄（Ｍ１５４）は、出品者の情報を表示ボタン（Ｍ１５３）をクリックすることで対応する出品者の個別情報が、オークション情報照会管理部（１６）にて取引参加者管理ＤＢのレコード（Ｔ０３）の入札金額（Ｔ０３５）、入札順位（Ｔ０３６）、及び出品者商品情報ＤＢのレコード（Ｔ０５）の商品情報説明（Ｔ０５３）、商品画像ファイル１〜３（Ｔ０５４〜Ｔ０５６）を基に表示される。購入希望者は、当照会内容を参照し、当該オークション取引への購入者として入札を行うか否かの判断材料とすることができる。
オークション一覧へ戻るボタン（Ｍ１５５）は、オークション一覧画面（Ｍ０７）へ画面を遷移する。
【００２７】
図１６は、オークション期間監視部（１３）にて、オークションの終了日時に達したことが検知されたオークション取引に対して、オークション期間終了部（１４）が起動され、当該オークション取引に購入者として入札している最高順位の入札者に対してメールサーバ（３）を通して通知される取引相手選択メールに記載されたＵＲＬをクリックすることで表示される出品者選択画面の画面構成を示す画面レイアウト図である。尚、該当するオークションのオークションＩＤは、ＵＲＬ内のアドレスから識別可能である。
オークション基本情報表示欄（Ｍ１６１）は、取引管理ＤＢのレコード（Ｔ０２）のオークション開始日時（Ｔ０２２）、オークション終了日時（Ｔ０２３）、商品情報ＤＢのレコード（Ｔ０４）の商品名（Ｔ０４２）を基にオークション取引に関する基本情報が表示される。
選択可能出品者一覧表示欄（Ｍ１６２）は、オークション期間終了部（１４）にて、取引参加者管理ＤＢのレコード（Ｔ０３）のオークションＩＤ（Ｔ０３１）が通知メール内のＵＲＬから識別できるオークションＩＤと一致し、入札種別（Ｔ０３３）が「２（出品者）」であり、かつ取引成立フラグ（Ｔ０３４）が「０（未成立）」となるレコードの入札金額（Ｔ０３５）、入札順位（Ｔ０３６）を基に、入札順位（Ｔ０３６）の昇順で一覧表示される。
選択可能出品者の情報を表示ボタン（Ｍ１６３）は、選択可能出品者一覧表示欄（Ｍ１６２）に表示されている各レコード毎に設置され、当ボタンをクリックすることで対応する出品者の個別情報が後述する選択可能出品者情報表示欄（Ｍ１６４）に表示される。
選択可能出品者情報表示欄（Ｍ１６４）は、選択可能出品者の情報を表示ボタン（Ｍ１６３）をクリックすることで対応する出品者の個別情報が、オークション情報照会管理部（１６）にて取引参加者管理ＤＢのレコード（Ｔ０３）の入札金額（Ｔ０３５）、入札順位（Ｔ０３６）、及び出品者商品情報ＤＢのレコード（Ｔ０５）の商品情報説明（Ｔ０５３）、商品画像ファイル１〜３（Ｔ０５４〜Ｔ０５６）を基に表示される。購入希望者は、当照会内容を参照し取引相手を選択する。
この出品者を選択ボタン（Ｍ１６５）は、選択可能出品者情報表示欄（Ｍ１６４）に現在表示されている出品者を取引相手として選択するためのボタンで、当ボタンをクリックすることにより、当該購入希望者と、選択した出品者間で取引の成立が確定し、オークション期間終了部（１４）にて、当該購入希望者と、選択した出品者に、メールサーバ（３）を通してメールにて通知される。以降、メールの内容に従い決裁処理を行う。
【００２８】
図１７は、データ送受信部（１１）の内部処理であるデータ受信処理の処理手順を示すフローチャートである。エンドユーザがＷｅｂブラウザ上で本システムのサイトを表示し画面上でボタンをクリックすると、その処理要求が公衆回線網（５）を通してＷｅｂサーバ（１）のデータ送受信部（１１）に送信される。データ送受信部（１１）は、クライアント端末（４）からの処理要求を受信して当処理を起動する（Ｆ１７０１）。
クライアント端末（４）から送信された電文には、ボタン等をクリックした画面の画面ＩＤ、及びクリックしたボタンのコントロールＩＤが編集されており、データ受信処理は、処理要求電文内の画面ＩＤに応じた、各画面用の機能振分処理を起動する（Ｆ１７０２）。
上記によって起動された各画面用の機能振分処理は、処理要求電文内のコントロールＩＤを参照して、内部処理を起動する（Ｆ１７０３）。その後、各画面ＩＤ・コントロールＩＤに対応した次画面作成処理を行い後述するデータ送信処理へ送信要求を行う（Ｆ１７０４）。ここで、各画面用の機能振分に関する詳細を以下に列挙する。但し、ボタンのコントロールＩＤは画面レイアウト図にて各ボタンに付記した記号を用いることとする。
＜本オークションシステムログイン時の機能振分処理＞
オークション一覧作成処理（Ｆ１９）を起動し、その後、オークション一覧画面（Ｍ０７）を作成してデータ送信要求を行う。
＜オークション一覧画面（Ｍ０７）の機能振分処理＞
コントロールＩＤが「Ｍ０７２」の場合、オークション基本情報照会処理（Ｆ２１）を起動し、その後、オークション詳細情報表示画面（Ｍ１０）を作成してデータ送信要求を行う。コントロールＩＤが「Ｍ０７３」の場合、新規オークション作成画面（Ｍ０８）を作成してデータ送信要求を行う。
＜新規オークション作成画面（Ｍ０８）の機能振分処理＞
コントロールＩＤが「Ｍ０８５」の場合、新規オークション作成処理（Ｆ２０）を起動し、その後、オークション作成結果画面（Ｍ０９）を作成してデータ送信要求を行う。
＜オークション作成結果画面（Ｍ０９）の機能振分処理＞
コントロールＩＤが「Ｍ０９２」の場合、オークション一覧作成処理（Ｆ１９）を起動し、その後、オークション一覧画面（Ｍ０７）を作成してデータ送信要求を行う。
＜オークション詳細情報表示画面（Ｍ１０）の機能振分処理＞
コントロールＩＤが「Ｍ１０４」の場合、入札者一覧作成処理（Ｆ２２）を起動し、その後、購入者として入札画面（Ｍ１１）を作成してデータ送信要求を行う。
コントロールＩＤが「Ｍ１０５」の場合、入札者一覧作成処理（Ｆ２２）を起動し、その後、出品者として入札画面（Ｍ１３）を作成してデータ送信要求を行う。
コントロールＩＤが「Ｍ１０６」の場合、入札者一覧作成処理（Ｆ２２）を起動し、出品者情報照会画面（Ｍ１５）を作成してデータ送信要求を行う。
＜購入者として入札画面（Ｍ１１）の機能振分処理＞
コントロールＩＤが「Ｍ１１３」の場合、オークション一覧作成処理（Ｆ１９）を起動し、その後、オークション一覧画面（Ｍ０７）を作成してデータ送信要求を行う。
コントロールＩＤが「Ｍ１１５」の場合、入札振分処理（Ｆ２３）を起動し、その後、購入者として入札結果画面（Ｍ１２）を作成してデータ送信要求を行う。
＜購入者として入札結果画面（Ｍ１２）の機能振分処理＞
コントロールＩＤが「１２３」の場合、オークション一覧作成処理（Ｆ１９）を起動し、その後、オークション一覧画面（Ｍ０７）を作成してデータ送信要求を行う。
＜出品者として入札画面（Ｍ１３）の機能振分処理＞
コントロールＩＤが「Ｍ１３３」の場合、オークション一覧作成処理（Ｆ１９）を起動し、その後、オークション一覧画面（Ｍ０７）を作成してデータ送信要求を行う。
コントロールＩＤが「Ｍ１３８」の場合、入札振分処理（Ｆ２３）を起動し、その後、出品者として入札結果画面（Ｍ１４）を作成してデータ送信要求を行う。
＜出品者として入札結果画面（Ｍ１４）の機能振分処理＞
コントロールＩＤが「Ｍ１４３」の場合、オークション一覧作成処理（Ｆ１９）を起動し、その後、オークション一覧画面（Ｍ０７）を作成してデータ送信要求を行う。
＜出品者情報照会画面（Ｍ１５）の機能振分処理＞
コントロールＩＤが「Ｍ１５５」の場合、オークション一覧作成処理（Ｆ１９）を起動し、その後、オークション一覧画面（Ｍ０７）を作成してデータ送信要求を行う。
コントロールＩＤが「Ｍ１５３」の場合、出品者情報照会処理（Ｆ２８）を起動し、その後、出品者情報照会画面（Ｍ１５）を作成してデータ送信要求を行う。
＜出品者選択画面（Ｍ１６）の機能振分処理＞
コントロールＩＤが「Ｍ１６３」の場合、出品者情報照会処理（Ｆ２８）を起動し、その後、出品者選択画面（Ｍ１６）を作成してデータ送信要求を行う。
コントロールＩＤが「Ｍ１６５」の場合、取引事績作成処理（Ｆ３２）を起動し、その後、メール送信データを作成してメール送信要求を行う。
＜取引相手選択通知メール内のＵＲＬから起動した場合の機能振分処理＞
入札者一覧作成処理（Ｆ２２）を起動し、その後、出品者選択画面（Ｍ１６）を作成してデータ送信要求を行う。
【００２９】
図１８は、データ送受信部（１１）の内部処理であるデータ送信処理の処理手順を示すフローチャートである。データ受信処理（Ｆ１７）からの画面データ送信要求、後述するオークション期間終了処理（Ｆ３０）からのメール送信要求、後述する上位入札者検索処理（Ｆ３１）からのメール送信要求、後述する取引事績作成処理（Ｆ３２）からのメール送信要求によって起動され（Ｆ１８０１）、送信要求が画面データか、メール送信かの判定を行い（Ｆ１８０２）、送信要求が画面データ送信の場合、公衆回線網（５）を通してクライアント端末（４）へ画面データを送信し（Ｆ１８０３）、メール送信の場合、メールサーバ（３）へメールの送信要求を行う（Ｆ１８０４）。
【００３０】
図１９は、オークション情報照会管理部（１６）の内部処理であるオークション一覧作成処理の処理手順を示すフローチャートである。エンドユーザがクライアント端末（４）で本オークションシステムにログインした際、オークション作成結果画面（Ｍ０９）でオークション一覧へ戻るボタン（Ｍ０９２）をクリックした際、購入者として入札画面（Ｍ１１）でオークション一覧へ戻るボタン（Ｍ１１３）をクリックした際、購入者として入札結果画面（Ｍ１２）でオークション一覧へ戻るボタン（Ｍ１２３）をクリックした際、出品者として入札画面（Ｍ１３）でオークション一覧へ戻るボタン（Ｍ１３３）をクリックした際、出品者として入札結果画面（Ｍ１４）でオークション一覧へ戻るボタン（Ｍ１４３）をクリックした際、出品者情報照会画面（Ｍ１５）でオークション一覧へ戻るボタン（Ｍ１５５）をクリックした際に、データ受信処理（Ｆ１７）により起動される。
当処理では、取引管理ＤＢのレコード（Ｔ０２）からオークション終了済フラグ（Ｔ０２４）が「０（取引中）」であるレコードをオークション開始日時（Ｔ０２２）の昇順で読み込み、オークションＩＤ（Ｔ０２１）、オークション開始日時（Ｔ０２２）、オークション終了日時（Ｔ０２３）、購入者参加人数（Ｔ０２５）、出品者参加人数（Ｔ０２６）を取得する（Ｆ１９０１）。次に商品情報ＤＢのレコード（Ｔ０４）からオークションＩＤ（Ｔ０４１）が取引管理ＤＢのレコード（Ｔ０２）から取得したオークションＩＤ（Ｔ０２１）と同一であるレコードを読み込み、商品名を取得する（Ｆ１９０２）。これを取引管理ＤＢのレコード（Ｔ０２）のレコード終端検知まで繰り返す（Ｆ１９０３）。その後、取得した上記情報を使用してオークションの一覧データを作成し（Ｆ１９０４）、起動元へ制御を戻す。データ受信処理（Ｆ１７）はオークションの一覧データを基に画面データを作成し、送信要求をする。
【００３１】
図２０は、新規オークション作成部（１２）の内部処理である  新規オークション作成処理の処理手順を示すフローチャートである。新規オークション作成画面（Ｍ０８）で新規オークションの作成ボタン（Ｍ０８５）をクリックした際、データ受信処理（Ｆ１７）により起動される。
当処理では、今回作成するオークション取引のオークションＩＤを既存のオークションＩＤと重複しない一意のＩＤとして採番し（Ｆ２００１）し、現在時刻を取得し（Ｆ２００２）、規定のオークション取引期間（例えば７日間等）からオークション終了日時を算出し（Ｆ２００３）、上記オークションＩＤ・現在時刻・オークション終了日時を取引管理ＤＢのレコード（Ｔ０２）のオークションＩＤ（Ｔ０２１）・オークション開始日時（Ｔ０２２）・オークション終了日時（Ｔ０２３）として、また、オークション終了済フラグ（Ｔ０２４）は「０（取引中）」、購入者参加人数（Ｔ０２５）・出品者参加人数（Ｔ０２６）・購入者取引成立人数（Ｔ０２７）・出品者取引成立人数（Ｔ０２８）は０人としてレコードを追加し（Ｆ２００４）、処理要求電文に編集されている商品名入力欄（Ｍ０８１）・商品の説明入力欄（Ｍ０８２）の入力内容及び登録画像確認欄（Ｍ０８４）に指定されている画像ファイルを商品情報ＤＢのレコード（Ｔ０４）の商品名（Ｔ０４２）・商品基本情報（Ｔ０４３）・商品画像ファイル１〜３（Ｔ０４４〜Ｔ０４６）としてレコードを追加し（Ｆ２００５）、取引管理ＤＢのレコード（Ｔ０２）に格納したオークションＩＤ（Ｔ０２１）・オークション開始日時（Ｔ０２２）・オークション終了日時（Ｔ０２３）及び商品情報ＤＢのレコード（Ｔ０４）に格納した商品名（Ｔ０４２）・商品基本情報（Ｔ０４３）・商品画像ファイル１〜３（Ｔ０４４〜Ｔ０４６）を基にオークション作成結果データを作成し（Ｆ２００６）、起動元へ制御を戻す。データ受信処理（Ｆ１７）はオークション作成結果データを基に画面データを作成し、送信要求をする。
【００３２】
図２１は、オークション情報照会管理部（１６）の内部処理であるオークション基本情報照会処理の処理手順を示すフローチャートである。オークション一覧画面（Ｍ０７）でオークション詳細情報表示ボタン（Ｍ０７２）をクリックした際、データ受信処理（Ｆ１７）により起動される。
当処理では、取引管理ＤＢのレコード（Ｔ０２）の中からオークションＩＤ（Ｔ０２１）が処理要求電文内に編集されている照会対象オークションＩＤと一致するレコードを読込み（Ｆ２１０１）、商品情報ＤＢのレコード（Ｔ０４）の中からオークションＩＤ（Ｔ０４１）が処理要求電文内に編集されている照会対象オークションＩＤと一致するレコードを読込み（Ｆ２１０２）、取引管理ＤＢのレコード（Ｔ０２）の中から読込んだレコードの購入者参加人数（Ｔ０２５）が１人以上の場合、取引参加者管理ＤＢのレコード（Ｔ０３）の中からオークションＩＤ（Ｔ０３１）が処理要求電文内に編集されている照会対象オークションＩＤと一致しかつ入札種別（Ｔ０３３）が「１（購入者）」で入札順位（Ｔ０３６）が１位であるレコードを読込み（Ｆ２１０３）、同様に取引管理ＤＢのレコード（Ｔ０２）の中から読込んだレコードの出品者参加人数（Ｔ０２６）が１人以上の場合、取引参加者管理ＤＢのレコード（Ｔ０３）の中からオークションＩＤ（Ｔ０３１）が処理要求電文内に編集されている照会対象オークションＩＤと一致しかつ入札種別（Ｔ０３３）が「２（出品者）」で入札順位（Ｔ０３６）が１位であるレコードを読込み（Ｆ２１０４）、上記で各ＤＢのレコードから読込んだ入札金額（購入者と出品者）（Ｔ０３５）・商品基本情報（Ｔ０４３）・商品画像ファイル１〜３（Ｔ０４４〜Ｔ０４６）を基にオークション詳細情報データを作成し（Ｆ２１０５）、起動元へ制御を戻す。データ受信処理（Ｆ１７）はオークション詳細情報データを基に画面データを作成し、送信要求をする。
【００３３】
図２２は、オークション情報照会管理部（１６）の内部処理である入札者一覧作成処理の処理手順を示すフローチャートである。オークション詳細情報表示画面（Ｍ１０）で購入者として入札ボタン（Ｍ１０４）をクリックした際、同画面で出品者として入札ボタン（Ｍ１０５）をクリックした際、同画面で出品者情報を表示ボタン（Ｍ１０６）をクリックした際、取引相手選択通知メール内のＵＲＬから本システムにアクセスした際、データ受信処理（Ｆ１７）により起動される。
処理要求電文には一覧の取得対象が購入者であるか出品者であるかを判別するために、起動元に応じて購入者として入札ボタン（Ｍ１０４）の場合「１（購入者）」、出品者として入札ボタン（Ｍ１０５）・出品者情報を表示ボタン（Ｍ１０６）・取引相手選択通知メール内のＵＲＬからの本システムへのアクセスの場合「２（出品者）」が編集されている。
当処理では、取引参加者管理ＤＢのレコード（Ｔ０３）の中からオークションＩＤ（Ｔ０３１）が処理要求電文内に編集されている照会対象オークションＩＤと一致し取引成立フラグ（Ｔ０３４）が「０（未成立）」であるレコードを入札順位（Ｔ０３６）の昇順に読込み（Ｆ２２０１）、これをレコードの終端を検知するまで繰り返し（Ｆ２２０２）、取引参加者管理ＤＢのレコード（Ｔ０３）から取得した入札順位（Ｔ０３６）・入札金額（Ｔ０３５）を基に入札者一覧データを作成し（Ｆ２２０３）、起動元へ制御を戻す。データ受信処理（Ｆ１７）は入札者一覧データを基に画面データを作成し、送信要求をする。
【００３４】
図２３は、入札管理部（１５）の内部処理である入札振分処理の処理手順を示すフローチャートである。購入者として入札画面（Ｍ１１）で入札するボタン（Ｍ１１５）をクリックした際、出品者として入札画面（Ｍ１３）で入札するボタン（Ｍ１３８）をクリックした際、データ受信処理（Ｆ１７）により起動される。
処理要求電文には、起動元に応じて購入者として入札画面（Ｍ１１）からの起動の場合入札種別に「１（購入者）」が、出品者として入札画面（Ｍ１３）からの起動の場合入札種別に「２（出品者）」が編集されている。
当処理では、取引参加者管理ＤＢのレコード（Ｔ０３）の中からオークションＩＤ（Ｔ０３１）が処理要求電文に編集されているオークションＩＤと一致しかつユーザＩＤ（Ｔ０３２）が処理要求電文に編集されているログインしているユーザのユーザＩＤと一致するレコードを読込み（Ｆ２３０１）、該当レコードが存在するか否かの判定を行い（Ｆ２３０２）、レコードが存在しなければ新規の入札者として処理要求電文に編集されている入札種別を参照して購入希望者としての入札か否かの判定を行い（２３０３）、入札種別が「１（購入者）」であれば後述する新規購入者追加処理（Ｆ２４）を起動し（Ｆ２３０４）、入札種別が「２（出品者）」であれば後述する新規出品者追加処理（Ｆ２５）を起動し（Ｆ２３０５）、一方取引参加者管理ＤＢのレコード（Ｔ０３）に該当するレコードが存在する場合、既に当該オークション取引に入札済の入札者として処理要求電文に編集されている入札種別を参照して購入希望者としての入札か否かの判定を行い（２３０６）、入札種別が「１（購入者）」であれば後述する既参加購入者情報更新処理（Ｆ２６）を起動し（Ｆ２３０７）、入札種別が「２（出品者）」であれば後述する既参加出品者情報更新処理（Ｆ２７）を起動する（Ｆ２３０８）。起動先の処理が完了次第、起動元であるデータ受信処理（Ｆ１７）へ制御を戻す。
【００３５】
図２４は、入札管理部（１５）の内部処理である新規購入者追加処理の処理手順を示すフローチャートである。エンドユーザが当該オークション取引に初めて購入希望者として入札した場合、入札振分処理（Ｆ２３）より起動される。
当処理では、取引参加者管理ＤＢのレコード（Ｔ０３）の中からオークションＩＤ（Ｔ０３１）が処理要求電文に編集されているオークションＩＤと一致しかつ入札種別（Ｔ０３３）が「１（購入者）」となるレコードを入札金額（Ｔ０３５）の降順に読込み（Ｆ２４０１）、取得したレコードの入札順位（Ｔ０３６）を退避しておき、これを入札金額（Ｔ０３５）が処理要求電文に編集されている購入者として入札画面（Ｍ１１）で入力した入札額入力欄（Ｍ１１４）の値より小さくなるかレコードの終端を検知するまで繰り返し（Ｆ２４０２）、取引参加者管理ＤＢのレコード（Ｔ０３）に処理要求電文のオークションＩＤ・ユーザＩＤ・入札額をオークションＩＤ（Ｔ０３１）・ユーザＩＤ（Ｔ０３２）・入札金額（Ｔ０３５）として入札種別（Ｔ０３３）を「１（購入者）」・取引成立フラグ（Ｔ０３４）を「０（未成立）」・入札順位（Ｔ０３６）を上記で取引参加者管理ＤＢのレコード（Ｔ０３）から最後に読込んだレコードの入札順位としてレコードを追加し（Ｆ２４０３）、取引参加者管理ＤＢのレコード（Ｔ０３）をオークションＩＤ（Ｔ０３１）が処理要求電文に編集されているオークションＩＤと一致しかつ入札種別（Ｔ０３３）が「１（購入者）」かつ入札金額（Ｔ０３５）が処理要求電文に編集されている入札額より小さいレコードに対して入札順位（Ｔ０３６）を１位ずつ加算する更新を行い（Ｆ２４０４）、これをレコードの終端を検知するまで繰り返し（Ｆ２４０５）、取引管理ＤＢのレコード（Ｔ０２）をオークションＩＤ（Ｔ０３１）が処理要求電文に編集されているオークションＩＤと一致するレコードに対して購入者参加人数（Ｔ０２５）を１人加算する更新を行い（Ｆ２４０６）、処理要求電文に編集されている入札種別・入札額・取引参加者管理ＤＢのレコード（Ｔ０３）追加レコードの入札順位（Ｔ０３６）に格納した内容を基に入札結果情報データを作成し（Ｆ２４０７）、起動元へ制御を戻す。
【００３６】
図２５は、入札管理部（１５）の内部処理である新規出品者追加処理の処理手順を示すフローチャートである。エンドユーザが当該オークション取引に初めて出品者として入札した場合、入札振分処理（Ｆ２３）より起動される。
当処理では、取引参加者管理ＤＢのレコード（Ｔ０３）の中からオークションＩＤ（Ｔ０３１）が処理要求電文に編集されているオークションＩＤと一致しかつ入札種別（Ｔ０３３）が「２（出品者）」となるレコードを入札金額（Ｔ０３５）の昇順に読込み（Ｆ２５０１）、取得したレコードの入札順位（Ｔ０３６）を退避しておき、これを入札金額（Ｔ０３５）が処理要求電文に編集されている出品者として入札画面（Ｍ１３）で入力した入札額入力欄（Ｍ１３４）の値より大きくなるかレコードの終端を検知するまで繰り返し（Ｆ２５０２）、取引参加者管理ＤＢのレコード（Ｔ０３）に処理要求電文のオークションＩＤ・ユーザＩＤ・入札額をオークションＩＤ（Ｔ０３１）・ユーザＩＤ（Ｔ０３２）・入札金額（Ｔ０３５）として入札種別（Ｔ０３３）を「２（出品者）」・取引成立フラグ（Ｔ０３４）を「０（未成立）」・入札順位（Ｔ０３６）を上記で取引参加者管理ＤＢのレコード（Ｔ０３）から最後に読込んだレコードの入札順位としてレコードを追加し（Ｆ２５０３）、出品者商品情報ＤＢのレコード（Ｔ０５）に処理要求電文に編集されているオークションＩＤ・ユーザＩＤ・商品の説明入力欄（Ｍ１３５）の入力内容・登録画像確認欄（Ｍ１３７）で指定されている画像ファイルをオークションＩＤ（Ｔ０５１）・ユーザＩＤ（Ｔ０５２）・商品情報説明（Ｔ０５３）・商品画像ファイル１〜３（Ｔ０５４〜Ｔ０５６）としてレコードの追加を行い（Ｆ２５０４）、取引参加者管理ＤＢのレコード（Ｔ０３）をオークションＩＤ（Ｔ０３１）が処理要求電文に編集されているオークションＩＤと一致しかつ入札種別（Ｔ０３３）が「２（出品者）」かつ入札金額（Ｔ０３５）が処理要求電文に編集されている入札額より大きいレコードに対して入札順位（Ｔ０３６）を１位ずつ加算する更新を行い（Ｆ２５０５）、これをレコードの終端を検知するまで繰り返し（Ｆ２５０６）、取引管理ＤＢのレコード（Ｔ０２）をオークションＩＤ（Ｔ０３１）が処理要求電文に編集されているオークションＩＤと一致するレコードに対して出品者参加人数（Ｔ０２６）を１人加算する更新を行い（Ｆ２５０７）、処理要求電文に編集されている入札種別・入札額・取引参加者管理ＤＢのレコード（Ｔ０３）追加レコードの入札順位（Ｔ０３６）に格納した内容・出品者商品情報ＤＢのレコード（Ｔ０５）追加レコードの商品情報説明（Ｔ０５３）・商品画像ファイル１〜３（Ｔ０５４〜Ｔ０５６）に格納した内容を基に入札結果情報データを作成し（Ｆ２５０８）、起動元へ制御を戻す。
【００３７】
図２６は、入札管理部（１５）の内部処理である既参加購入者情報更新処理の処理手順を示すフローチャートである。エンドユーザが当該オークション取引に二度目以降に購入希望者として入札した場合、入札振分処理（Ｆ２３）より起動される。
当処理では、取引参加者管理ＤＢのレコード（Ｔ０３）の中からオークションＩＤ（Ｔ０３１）が処理要求電文に編集されているオークションＩＤと一致しかつ入札種別（Ｔ０３３）が「１（購入者）」となるレコードを入札金額（Ｔ０３５）の降順に読込み（Ｆ２６０１）、取得したレコードの入札順位（Ｔ０３６）を退避しておき、これを入札金額（Ｔ０３５）が処理要求電文に編集されている購入者として入札画面（Ｍ１１）で入力した入札額入力欄（Ｍ１１４）の値より小さくなるかレコードの終端を検知するまで繰り返し（Ｆ２６０２）、取引参加者管理ＤＢのレコード（Ｔ０３）のオークションＩＤ（Ｔ０３１）が処理要求電文のオークションＩＤと一致しかつユーザＩＤ（Ｔ０３２）が処理要求電文のユーザＩＤと一致するレコードに対して入札金額（Ｔ０３５）を処理要求電文の入札額・入札順位（Ｔ０３６）を上記で取引参加者管理ＤＢのレコード（Ｔ０３）から最後に読込んだレコードの入札順位としてレコードを更新し（Ｆ２６０３）、取引参加者管理ＤＢのレコード（Ｔ０３）をオークションＩＤ（Ｔ０３１）が処理要求電文に編集されているオークションＩＤと一致しかつ入札種別（Ｔ０３３）が「１（購入者）」かつ入札金額（Ｔ０３５）が処理要求電文に編集されている入札額より小さいレコードに対して入札順位（Ｔ０３６）を１位ずつ加算する更新を行い（Ｆ２６０４）、これをレコードの終端を検知するまで繰り返し（Ｆ２６０５）、処理要求電文に編集されている入札種別・入札額・取引参加者管理ＤＢのレコード（Ｔ０３）更新レコードの入札順位（Ｔ０３６）に格納した内容を基に入札結果情報データを作成し（Ｆ２６０６）、起動元へ制御を戻す。
【００３８】
図２７は、入札管理部（１５）の内部処理である既参加出品者情報更新処理の処理手順を示すフローチャートである。エンドユーザが当該オークション取引に二度目以降に出品者として入札した場合、入札振分処理（Ｆ２３）より起動される。
当処理では、取引参加者管理ＤＢのレコード（Ｔ０３）からオークションＩＤ（Ｔ０３１）が処理要求電文に編集されているオークションＩＤと一致しかつ入札種別（Ｔ０３３）が「２（出品者）」となるレコードを入札金額（Ｔ０３５）の昇順に読込み（Ｆ２７０１）、取得したレコードの入札順位（Ｔ０３６）を退避しておき、これを入札金額（Ｔ０３５）が処理要求電文に編集されている出品者として入札画面（Ｍ１３）で入力した入札額入力欄（Ｍ１３４）の値より大きくなるかレコードの終端を検知するまで繰り返し（Ｆ２７０２）、取引参加者管理ＤＢのレコード（Ｔ０３）のオークションＩＤ（Ｔ０３１）が処理要求電文のオークションＩＤと一致しユーザＩＤ（Ｔ０３２）が処理要求電文のユーザＩＤと一致するレコードに対して入札金額（Ｔ０３５）を処理要求電文の入札額・入札順位（Ｔ０３６）を上記で取引参加者管理ＤＢのレコード（Ｔ０３）から最後に読込んだレコードの入札順位としてレコードを更新し（Ｆ２７０３）、出品者商品情報ＤＢのレコード（Ｔ０５）のオークションＩＤ（Ｔ０５１）が処理要求電文に編集されているオークションＩＤと一致しユーザＩＤ（Ｔ０５２）が処理要求電文に編集されているユーザＩＤと一致するレコードに対して処理要求電文に商品の説明の編集されている場合は商品情報説明（Ｔ０５３）として・処理要求電文に商品画像ファイルが編集されている場合は商品画像ファイル１〜３（Ｔ０５４〜Ｔ０５６）としてレコードの更新を行い（Ｆ２７０４）、取引参加者管理ＤＢのレコード（Ｔ０３）をオークションＩＤ（Ｔ０３１）が処理要求電文に編集されているオークションＩＤと一致しかつ入札種別（Ｔ０３３）が「２（出品者）」かつ入札金額（Ｔ０３５）が処理要求電文に編集されている入札額より大きいレコードに対して入札順位（Ｔ０３６）を１位ずつ加算する更新を行い（Ｆ２７０５）、これをレコードの終端を検知するまで繰り返し（Ｆ２７０６）、処理要求電文に編集されている入札種別・入札額・取引参加者管理ＤＢのレコード（Ｔ０３）更新レコードの入札順位（Ｔ０３６）に格納した内容・出品者商品情報ＤＢのレコード（Ｔ０５）更新レコードの商品情報説明（Ｔ０５３）・商品画像ファイル１〜３（Ｔ０５４〜Ｔ０５６）に格納した内容を基に入札結果情報データを作成し（Ｆ２７０７）、起動元へ制御を戻す。
【００３９】
図２８は、オークション情報照会管理部（１６）の内部処理である出品者情報照会処理の処理手順を示すフローチャートである。出品者情報照会画面（Ｍ１５）で出品者の情報を表示ボタン（Ｍ１５３）をクリックした際、出品者選択画面（Ｍ１６）で選択可能出品者の情報を表示ボタン（Ｍ１６３）をクリックした際にデータ受信処理（Ｆ１７）により起動される。
当処理では、出品者商品情報ＤＢのレコード（Ｔ０５）からオークションＩＤ（Ｔ０５１）が処理要求電文に編集されているオークションＩＤと一致しかつユーザＩＤ（Ｔ０５２）が処理要求電文に編集されているユーザＩＤと一致するレコードを読込み（Ｆ２８０１）、出品者商品情報ＤＢのレコード（Ｔ０５）から取得したレコードの商品情報説明（Ｔ０５３）・商品画像ファイル１〜３（Ｔ０５４〜Ｔ０５６）を基に出品者情報照会データを作成し（Ｆ２８０２）、起動基へ制御を戻す。データ受信処理（Ｆ１７）は〜データを基に画面データを作成し、送信要求をする。
【００４０】
図２９は、オークション期間監視部（１３）の内部処理であるオークション期間監視処理の処理手順を示すフローチャートである。当処理は本システムにて定期的に（例えば１秒毎に）起動される。
当処理では、現在時刻の取得を行い（Ｆ２９０１）、取引管理ＤＢのレコード（Ｔ０２）からオークション終了日時（Ｔ０２３）が上記で取得した現在時刻以前かつオークション終了済フラグ（Ｔ０２４）が「０（取引中）」であるレコードをオークション終了日時（Ｔ０２３）の昇順に読込み（Ｆ２９０２）、取得したレコードを引き渡して後述するオークション期間終了処理（Ｆ３０）を起動し（Ｆ２９０３）、Ｆ２９０２からＦ２９０３をレコードの終端を検知するまで繰り返す（Ｆ２９０４）。
【００４１】
図３０は、オークション期間終了部（１４）の内部処理であるオークション期間終了処理の処理手順を示すフローチャートである。オークション期間監視処理（Ｆ２９）にてオークション開催期間の終了が検知されたオークション取引に対して取引管理ＤＢのレコード（Ｔ０２）のレコードを入力情報として起動される。
当処理では、取引管理ＤＢのレコード（Ｔ０２）のオークションＩＤ（Ｔ０２１）がオークション期間監視処理（Ｆ２９）から受取ったオークションＩＤと一致するレコードに対しオークション終了済フラグ（Ｔ０２４）を「１（終了）」に更新し（Ｆ３００１）、取引参加者管理ＤＢのレコード（Ｔ０３）からオークションＩＤがオークション期間監視処理（Ｆ２９）から受取ったオークションＩＤ（Ｔ０２１）と一致するレコードを読込み（Ｆ３００２）、ユーザ管理ＤＢのレコード（Ｔ０６）からユーザＩＤ（Ｔ０６１）が取引参加者管理ＤＢのレコード（Ｔ０３）から取得したレコードのユーザＩＤ（Ｔ０３２）と一致するレコードを読込み（Ｆ３００３）、ユーザ管理ＤＢのレコード（Ｔ０６）から取得したメールアドレス（Ｔ０６４）の内容を基にオークション終了通知データを作成し（Ｆ３００４）、データ送信処理（Ｆ１８）に対してメールの送信要求を行い（Ｆ３００５）、Ｆ３００２からＦ３００５の処理を取引参加者管理ＤＢのレコード（Ｔ０３）のレコード終端を検知するまで繰り返し（Ｆ３００６）、オークション期間監視処理（Ｆ２９）から受取った取引管理ＤＢのレコード（Ｔ０２）のレコードを引き渡して上位入札者検索処理（Ｆ３１）を起動し（Ｆ３００７）、処理を終了する。
【００４２】
図３１は、オークション期間終了部（１４）の内部処理である上位入札者検索処理の処理手順を示すフローチャートである。当該オークション取引に入札している購入希望者若しくは出品者の何れかが全員取引成立済みとなるか、取引が成立していない最高入札順位の購入希望者の入札額より小さい入札額を入札している出品者が１人も存在しなくなるまで、後述する取引事績作成処理（Ｆ３２）から起動される。
当処理では、取引参加者管理ＤＢのレコード（Ｔ０３）からオークションＩＤ（Ｔ０３１）がオークション期間終了処理から受取ったオークションＩＤと一致しかつ入札種別（Ｔ０３３）が「１（購入者）」かつ取引成立フラグ（Ｔ０３４）が「０（未成立）」であるレコードを入札順位（Ｔ０３６）の昇順に１件読込み（Ｆ３１０１）、該当するレコードが存在する場合（Ｆ３１０２）、取引参加者管理ＤＢのレコード（Ｔ０３）からオークションＩＤ（Ｔ０３１）がオークション期間終了処理から受取ったオークションＩＤと一致しかつ入札種別（Ｔ０３３）が「２（出品者）」かつ取引成立フラグ（Ｔ０３４）が「０（未成立）」かつ入札金額（Ｔ０３５）が上記で取引参加者管理ＤＢのレコード（Ｔ０３）から取得した購入希望者の入札金額（Ｔ０３５）より小さいレコードを入札順位（Ｔ０３６）の昇順に１件読込み（Ｆ３１０３）、該当するレコードが存在する場合（Ｆ３１０４）、ユーザ管理ＤＢのレコード（Ｔ０６）からユーザＩＤ（Ｔ０６１）が上記で取引参加者管理ＤＢのレコード（Ｔ０３）から取得した購入希望者のユーザＩＤ（Ｔ０３２）と一致するレコードを読込み（Ｆ３１０５）、ユーザ管理ＤＢのレコード（Ｔ０６）から取得したレコードのメールアドレス（Ｔ０６４）・出品者選択用のＵＲＬ情報を基に当該購入希望者に対して取引相手となる出品者選択通知データを作成し（Ｆ３１０６）、データ送信処理（Ｆ１８）に対してメールの送信要求を行い（Ｆ３１０７）、処理を終了する。
【００４３】
図３２は、オークション期間終了部（１４）の内部処理である取引事績作成処理の処理手順を示すフローチャートである。上位入札者検索処理（Ｆ３１）にて送信した出品者選択通知メール本文に記載されるＵＲＬから当該購入希望者が出品者選択画面（Ｍ１６）でこの出品者を選択ボタン（Ｍ１６５）をクリックした際にデータ受信処理（Ｆ１７）により起動される。
処理要求電文には当該購入希望者が出品者選択画面（Ｍ１６）から選択した出品者の入札順位が編集されている。
当処理では、取引参加者管理ＤＢのレコード（Ｔ０３）からオークションＩＤ（Ｔ０３１）が処理要求電文に編集されているオークションＩＤと一致しかつユーザＩＤ（Ｔ０３２）が処理要求電文に編集されている当該購入希望者のユーザＩＤと一致するレコードを読込み（Ｆ３２０１）、取引参加者管理ＤＢのレコード（Ｔ０３）からオークションＩＤ（Ｔ０３１）が処理要求電文に編集されているオークションＩＤと一致しかつ入札種別（Ｔ０３３）が「２（出品者）」かつ入札順位（Ｔ０３６）が処理要求電文に編集されている当該購入希望者が選択した出品者の入札順位と一致するレコードを読込み（Ｆ３２０２）、上記Ｆ３２０１で取引参加者管理ＤＢのレコード（Ｔ０３）から取得したレコードの入札金額（Ｔ０３５）と上記Ｆ３２０２で取引参加者管理ＤＢのレコード（Ｔ０３）から取得したレコードの入札金額（Ｔ０３５）の合計値を２で除算（小数点以下切捨て）した金額を取引金額とし（Ｆ３２０３）、取引参加者管理ＤＢのレコード（Ｔ０３）のオークションＩＤ（Ｔ０３１）が処理要求電文に編集されているオークションＩＤと一致しかつユーザＩＤ（Ｔ０３２）が処理要求電文に編集されている当該購入希望者のユーザＩＤと一致するレコードに対して取引成立フラグ（Ｔ０３４）を「１（成立済）」に更新し（Ｆ３２０４）、取引参加者管理ＤＢのレコード（Ｔ０３）のオークションＩＤ（Ｔ０３１）が処理要求電文に編集されているオークションＩＤと一致しかつユーザＩＤ（Ｔ０３２）が上記Ｆ３２０２で取得したレコードのユーザＩＤ（Ｔ０３２）と一致するレコードに対して取引成立フラグ（Ｔ０３４）を「１（成立済）」に更新し（Ｆ３２０５）、ユーザ管理ＤＢのレコード（Ｔ０６）からユーザＩＤ（Ｔ０６１）が処理要求電文に編集されている当該購入希望者のユーザＩＤと一致するレコードを読込み（Ｆ３２０６）、ユーザ管理ＤＢのレコード（Ｔ０６）からユーザＩＤ（Ｔ０６１）が上記Ｆ３２０２で取得したレコードのユーザＩＤ（Ｔ０３２）と一致するレコードを読込み（Ｆ３２０７）、上記Ｆ３２０３で算出した取引金額・上記Ｆ３２０６で取得したレコードのメールアドレス（Ｔ０６４）・上記Ｆ３２０７で取得したレコードのメールアドレス（Ｔ０６４）を基に取引成立通知データを作成しデータ送信処理（Ｆ１８）に対してメールの送信要求を行い（Ｆ３２０８）、取引管理ＤＢのレコード（Ｔ０２）のオークションＩＤ（Ｔ０２１）が処理要求電文に編集されているオークションＩＤと一致するレコードに対して購入者取引成立人数（Ｔ０２７）及び出品者取引成立人数（Ｔ０２８）を１人加算して更新し（Ｆ３２０９）、上記Ｆ３２０９で更新した後の購入者取引成立人数（Ｔ０２７）が購入者参加人数（Ｔ０２５）と等しくなったか或いは出品者取引成立人数（Ｔ０２８）が出品者参加人数（Ｔ０２６）と等しくなった場合処理を終了し、双方ともに参加人数に達していない場合上位入札者検索処理（Ｆ３１）を起動して処理を終了する。
【産業上の利用可能性】
【００４４】
本発明は、購入者、出品者ともに当該商品を１品購入、出品するオークションシステムのみならず、同一商品を複数購入又は出品するオークションシステムに拡張して利用可能である。また、オークションシステムというネーミングにこだわることなく、中古品販売システム、リサイクルシステム、リユースシステムなど、オークションに類似した取引を処理するシステムに対しても利用可能である。
【符号の説明】
【００４５】
各対象物名末尾の括弧内にて記載された記号は、図にて定義されている各対象物を明示するために、同じく図内で各対象物に符番した符号を表す。
符号が数字のみ（１桁）の場合、システム構成図内のシステム構成要素を表す。
１  Ｗｅｂサーバ
２  データベース管理サーバ
３  メールサーバ
４  クライアント端末
５  公衆回線網
符号が数字のみ（２桁）の場合、システム構成図内の処理要素を表す。
１１  データ送受信部
１２  新規オークション作成部
１３  オークション期間監視部
１４  オークション期間終了部
１５  入札管理部
１６  オークション情報照会管理部
符号が頭文字Ｄから始まる場合、システム構成図内のデータベースを表す。
Ｄ１  取引管理ＤＢ
Ｄ２  商品情報ＤＢ
Ｄ３  ユーザ管理ＤＢ
Ｄ４  取引参加者管理ＤＢ
Ｄ５  出品者商品情報ＤＢ
符号が頭文字Ｔから始まり続く数字が２桁の場合、データ構成図のテーブルを表す。
Ｔ０２  取引管理ＤＢのレコード
Ｔ０３  取引参加者管理ＤＢのレコード
Ｔ０４  商品情報ＤＢのレコード
Ｔ０５  出品者商品情報ＤＢのレコード
Ｔ０６  ユーザ管理ＤＢのレコード
符号が頭文字Ｔから始まり続く数字が３桁の場合、データ構成図のテーブル構成要素を表す。
Ｔ０２１  オークションＩＤ
Ｔ０２２  オークション開始日時
Ｔ０２３  オークション終了日時
Ｔ０２４  オークション終了済フラグ
Ｔ０２５  購入者参加人数
Ｔ０２６  出品者参加人数
Ｔ０２７  購入者取引成立人数
Ｔ０２８  出品者取引成立人数
Ｔ０３１  オークションＩＤ
Ｔ０３２  ユーザＩＤ
Ｔ０３３  入札種別
Ｔ０３４  取引成立フラグ
Ｔ０３５  入札金額
Ｔ０３６  入札順位
Ｔ０４１  オークションＩＤ
Ｔ０４２  商品名
Ｔ０４３  商品基本情報
Ｔ０４４  商品画像ファイル１
Ｔ０４５  商品画像ファイル２
Ｔ０４６  商品画像ファイル３
Ｔ０５１  オークションＩＤ
Ｔ０５２  ユーザＩＤ
Ｔ０５３  商品情報説明
Ｔ０５４  商品画像ファイル１
Ｔ０５５  商品画像ファイル２
Ｔ０５６  商品画像ファイル３
Ｔ０６１  ユーザＩＤ
Ｔ０６２  氏名
Ｔ０６３  住所
Ｔ０６４  メールアドレス
Ｔ０６５  電話番号
符号が頭文字Ｍから始まり続く数字が２桁の場合、画面レイアウト図の画面を表す。
Ｍ０７  オークション一覧画面
Ｍ０８  新規オークション作成画面
Ｍ０９  オークション作成結果画面
Ｍ１０  オークション詳細情報表示画面
Ｍ１１  購入者として入札画面
Ｍ１２  購入者として入札結果画面
Ｍ１３  出品者として入札画面
Ｍ１４  出品者として入札結果画面
Ｍ１５  出品者情報照会画面
Ｍ１６  出品者選択画面
符号が頭文字Ｍから始まり続く数字が３桁の場合、画面レイアウト図の画面構成要素を表す。
Ｍ０７１  オークション一覧表示欄
Ｍ０７２  オークション詳細情報表示ボタン
Ｍ０７３  新規オークションの作成画面へボタン
Ｍ０８１  商品名
Ｍ０８２  商品の説明
Ｍ０８３  画像ファイルの参照ボタン
Ｍ０８４  画像ファイルのファイルパス
Ｍ０８５  新規オークションの作成ボタン
Ｍ０９１  この商品の画像
Ｍ０９２  オークション一覧へ戻るボタン
Ｍ１０１  オークション基本情報表示欄
Ｍ１０２  商品の詳細情報表示欄
Ｍ１０３  オークション入札欄
Ｍ１０４  購入者として入札ボタン
Ｍ１０５  出品者として入札ボタン
Ｍ１０６  出品者情報を表示ボタン
Ｍ１１１  オークション基本情報表示欄
Ｍ１１２  購入希望者一覧表示欄
Ｍ１１３  オークション一覧へ戻るボタン
Ｍ１１４  入札額入力欄
Ｍ１１５  入札するボタン
Ｍ１２１  オークション基本情報表示欄
Ｍ１２２  入札結果表示欄
Ｍ１２３  オークション一覧へ戻るボタン
Ｍ１３１  オークション基本情報表示欄
Ｍ１３２  出品者一覧表示欄
Ｍ１３３  オークション一覧へ戻るボタン
Ｍ１３４  入札額入力欄
Ｍ１３５  商品の説明
Ｍ１３６  画像ファイルの参照ボタン
Ｍ１３７  登録画像確認欄
Ｍ１３８  入札するボタン
Ｍ１４１  オークション基本情報表示欄
Ｍ１４２  入札結果表示欄
Ｍ１４３  オークション一覧へ戻るボタン
Ｍ１５１  オークション基本情報表示欄
Ｍ１５２  出品者一覧表示欄
Ｍ１５３  出品者の情報を表示ボタン
Ｍ１５４  出品者情報表示欄
Ｍ１５５  オークション一覧へ戻るボタン
Ｍ１６１  オークション基本情報表示欄
Ｍ１６２  選択可能出品者一覧表示欄
Ｍ１６３  選択可能出品者の情報を表示ボタン
Ｍ１６４  選択可能出品者情報表示欄
Ｍ１６５  この出品者を選択ボタン
符号が頭文字Ｆから始まり続く数字が２桁の場合、フローチャートの処理を表す。
Ｆ１７  データ受信処理
Ｆ１８  データ送信処理
Ｆ１９  オークション一覧作成処理
Ｆ２０  新規オークション作成処理
Ｆ２１  オークション基本情報照会処理
Ｆ２２  入札者一覧作成処理
Ｆ２３  入札振分処理
Ｆ２４  新規購入者追加処理
Ｆ２５  新規出品者追加処理
Ｆ２６  既参加購入者情報更新処理
Ｆ２７  既参加出品者情報更新処理
Ｆ２８  出品者情報照会処理
Ｆ２９  オークション期間監視処理
Ｆ３０  オークション期間終了処理
Ｆ３１  上位入札者検索処理
Ｆ３２  取引事績作成処理
符号が頭文字Ｆから始まり続く数字が４桁の場合、フローチャートの処理要素を表す。
Ｆ１７０１  クライアント端末からのデータ受信により起動
Ｆ１７０２  送信元画面による処理振分け
符号がアルファベットから始まる場合、続く数字部分上２桁は各図番号に対応する。
【図１】
2012059022.tif 000003
【図２】
2012059022.tif 000004
【図３】
2012059022.tif 000005
【図４】
2012059022.tif 000006
【図５】
2012059022.tif 000007
【図６】
2012059022.tif 000008
【図７】
2012059022.tif 000009
【図８】
2012059022.tif 000010
【図９】
2012059022.tif 000011
【図１０】
2012059022.tif 000012
【図１１】
2012059022.tif 000013
【図１２】
2012059022.tif 000014
【図１３】
2012059022.tif 000015
【図１４】
2012059022.tif 000016
【図１５】
2012059022.tif 000017
【図１６】
2012059022.tif 000018
【図１７】
2012059022.tif 000019
【図１８】
2012059022.tif 000020
【図１９】
2012059022.tif 000021
【図２０】
2012059022.tif 000022
【図２１】
2012059022.tif 000023
【図２２】
2012059022.tif 000024
【図２３】
2012059022.tif 000025
【図２４】
2012059022.tif 000026
【図２５】
2012059022.tif 000027
【図２６】
2012059022.tif 000028
【図２７】
2012059022.tif 000029
【図２８】
2012059022.tif 000030
【図２９】
2012059022.tif 000031
【図３０】
2012059022.tif 000032
【図３１】
2012059022.tif 000033
【図３２】
2012059022.tif 000034